(57)【要約】【課題】  自身の正常な動作確認を容易に行えて、ＬＥＤ点灯装置を信頼性よく検査できるＬＥＤ点灯装置用チェッカーを提供する。【解決手段】  ＬＥＤ点灯装置用チェッカー１は、出力端１１から電流を出力可能に形成された電流源２と、直流電流を出力可能に形成された自己診断用電源３と、ＬＥＤ点灯装置１２の出力を入力する入力端４と、擬似負荷５と、ＬＥＤ点灯装置１２の検査時に擬似負荷５を入力端４に接続させ、自己診断時に擬似負荷５を自己診断用電源３の出力間に接続させる接続手段６と、擬似負荷５に流れる電流を検出する電流検出手段７と、電流検出手段７が検出した電流と予め設定された基準値とを比較して評価する評価手段８と、評価手段８の評価結果を表示する表示手段９と、を具備している。【選択図】図１
2013098293.tif 000002
【特許請求の範囲】
【請求項１】
ＬＥＤ点灯装置が接続される出力端を有し、この出力端から電流を出力可能に形成された電流源と；
直流電流を出力可能に形成された自己診断用電源と；
前記ＬＥＤ点灯装置の出力を入力する入力端と；
擬似負荷と；
前記ＬＥＤ点灯装置の検査時に前記擬似負荷を前記入力端に接続させ、自己診断時に前記擬似負荷を前記自己診断用電源の出力間に接続させる接続手段と；
前記擬似負荷に流れる電流を検出する電流検出手段と；
この電流検出手段が検出した電流と予め設定された基準値とを比較して評価する評価手段と；
この評価手段の評価結果を表示する表示手段と；
を具備していることを特徴とするＬＥＤ点灯装置用チェッカー。
【請求項２】
被検査用のＬＥＤ点灯装置に対して電流を供給可能な電流源と；
直流電流を出力可能な自己診断用電源と；
前記電流源または前記自己診断用電源から給電される擬似負荷と；
この擬似負荷に流れる電流と予め設定された基準値とを比較して評価する評価手段と；
この評価手段の評価結果を表示する表示手段と；
を具備し、前記ＬＥＤ点灯装置の検査時には、前記電流源から前記ＬＥＤ点灯装置を介して前記擬似負荷に給電し、自己診断時には、前記自己診断用電源から前記擬似負荷に給電して前記評価手段の評価結果を得るようにしたことを特徴とするＬＥＤ点灯装置用チェッカー。
【請求項３】
前記擬似負荷は、前記ＬＥＤ点灯装置の種類に対応して設けられた複数個からなり、前記擬似負荷に流れる電流が略一定となるように電流調整用抵抗を介して前記自己診断用電源から給電されることを特徴とする請求項１または２記載のＬＥＤ点灯装置用チェッカー。
【請求項４】
前記電流源に入力電流が入力されたときに、前記擬似負荷が前記自己診断用電源から給電され、前記擬似負荷に流れる電流と予め設定された基準値とを比較して評価し、その評価結果を表示する一連の動作が自動的に行われることを特徴とする請求項１ないし３いずれか一記載のＬＥＤ点灯装置用チェッカー。
【発明の詳細な説明】
【技術分野】
【０００１】
本発明の実施形態は、発光ダイオードを点灯するＬＥＤ点灯装置を検査するＬＥＤ点灯装置用チェッカーに関する。
【背景技術】
【０００２】
光源として発光ダイオード（ＬＥＤ）を用いた照明装置は、種々の分野で用いられている。その照明装置の１つとして、例えば空港、飛行場等の滑走路や誘導路に設置されるＬＥＤ式航空標識灯が知られている。このＬＥＤ式航空標識灯は、ＬＥＤを点灯するＬＥＤ点灯装置を備え、ＬＥＤを調光信号に応じて点灯制御している。
【０００３】
航空標識灯は、航空機の離着陸や地上走行に必要な視覚的情報を提供し、航空機の安全運航を支える重要な役目を担っている。そのため、例えば数ヶ月に一度の定期検査を行い、ＬＥＤ式航空標識灯の不点灯などの不調状態の有無をチェックしている。この定期検査は、ＬＥＤ式航空標識灯を設置場所から持ち帰り、検査場で行われている。そして、検査用の定電流電源からＬＥＤ点灯装置に定格電流を供給してＬＥＤの定格点灯状態で所定の検査が行われている（例えば特許文献１参照。）。
【０００４】
本出願人は、先に出願した発明（特願２０１０−１４５６９０）において、ＬＥＤ点灯装置の検査が行えるＬＥＤ点灯ユニット検査装置を出願している。この検査装置は、ＬＥＤ点灯装置のＬＥＤ駆動出力を評価して、その良否を判断できるようにしたものであり、調査作業を効率化して検査における負担の軽減が図られている。
【０００５】
しかし、検査装置は、それ自体が正常に動作していないと、ＬＥＤ点灯装置の良否を判断することができなく、または、判断結果が誤ってしまうことになる。また、検査装置の正常な動作確認がされていないと、判断結果の信頼性に確信を持つことができない。そこで、検査装置においても、定期的にまたは上記検査時などにおいて、出力のチェックなどの動作確認が必要となっている。
【先行技術文献】
【特許文献】
【０００６】
【特許文献１】特開２００８−２１０６４７号公報（第６頁、第１図）
【発明の概要】
【発明が解決しようとする課題】
【０００７】
しかしながら、ＬＥＤ点灯装置の検査装置の動作確認は、それ自体、ＬＥＤ点灯装置の良否を検査するときと同様の手間や時間を要するという問題がある。
【０００８】
本実施形態は、自身の正常な動作確認を容易に行えて、ＬＥＤ点灯装置を信頼性よく検査できるＬＥＤ点灯装置用チェッカーを提供することを目的とする。
【課題を解決するための手段】
【０００９】
本実施形態のＬＥＤ点灯装置用チェッカーは、電流源、自己診断用電源、入力端、擬似負荷、接続手段、電流検出手段、評価手段および表示手段を有して構成される。
【００１０】
電流源は、ＬＥＤ点灯装置が接続される出力端を有し、この出力端から電流を出力可能に形成されている。自己診断用電源は、直流電流を出力可能に形成されている。入力端は、ＬＥＤ点灯装置の出力を入力する。
【００１１】
接続手段は、ＬＥＤ点灯装置の検査時に擬似負荷を入力端に接続させ、自己診断時に擬似負荷を自己診断用電源の出力間に接続させる。そして、電流検出手段は、擬似負荷に流れる電流を検出する。
【００１２】
評価手段は、電流検出手段が検出した電流と予め設定された基準値とを比較して評価し、表示手段は、評価手段の評価結果を表示する。
【発明の効果】
【００１３】
本発明の実施形態によれば、自己診断用電源の出力間に擬似負荷を接続し、この擬似負荷に流れる電流と予め設定された基準値とを比較して評価し、その評価結果を表示することにより、ＬＥＤ点灯装置用チェッカーが正常に動作してＬＥＤ点灯装置を正常に検査できることを確認できることが期待できる。
【図面の簡単な説明】
【００１４】
【図１】本発明の実施形態を示すＬＥＤ点灯装置用チェッカーのブロック図である。
【図２】同じく、ＬＥＤ点灯装置用チェッカーの概略平面図である。
【図３】同じく、ＬＥＤ点灯装置用チェッカーの概略側面図である。
【図４】同じく、ＬＥＤ点灯装置用チェッカーの一部分の回路図である。
【図５】同じく、ＬＥＤ点灯装置用チェッカーの残余部分の回路図である。
【発明を実施するための形態】
【００１５】
以下、本発明の一実施の形態について、図面を参照して説明する。
【００１６】
本実施形態のＬＥＤ点灯装置用チェッカー１は、図１ないし図５に示すように構成される。図１において、ＬＥＤ点灯装置用チェッカー１は、電流源としての可変電流源２、自己診断用電源３、入力端４、擬似負荷５、接続手段６、電流検出手段７、評価手段８、表示手段９および制御手段１０を有して形成されている。ＬＥＤ点灯装置用チェッカー１は、ＬＥＤ負荷を点灯する外部のＬＥＤ点灯装置１２を検査するものである。このＬＥＤ点灯装置１２は、例えば、空港、飛行場等の滑走路や誘導路に設置されるＬＥＤ式航空標識灯に収納されている。可変電流源２は、出力端１１を有している。この出力端１１および入力端４がそれぞれケーブルによりＬＥＤ点灯装置１２の入力側および出力側に接続されている。入力端４は、ＬＥＤ点灯装置１２の出力を入力する入力端子４ａ，４ｂとなっている。
【００１７】
可変電流源２は、ＬＥＤ点灯装置１２を検査するための電源であり、商用交流電源Ｖｓから入力される交流電流をＬＥＤ負荷の複数の光度比率に応じた交流電流に可変（変換）して出力端１１から出力可能に形成されている。出力端１１および入力端４にＬＥＤ点灯装置１２が接続された状態で、入力端４の入力端子４ａ，４ｂ間には、接続手段６により擬似負荷５および電流検出手段７が接続される。擬似負荷５は、ＬＥＤ点灯装置１２の種類などに応じた設けられた複数個の擬似負荷５ａ〜５ｄからなっている。接続手段６は、ＬＥＤ点灯装置１２に応じた擬似負荷５ａ〜５ｄを入力端４に接続する。擬似負荷５ａ〜５ｄは、それぞれ固定抵抗からなっている。
【００１８】
自己診断用電源３は、ＬＥＤ点灯装置用チェッカー１がＬＥＤ点灯装置１２を正常に検査できるか否かの自己診断をするための電源に用いられるものであり、可変電流源２の入力電流を直流に変換して直流電流を出力するように形成されている。自己診断時、自己診断用電源３の出力間には、電流調整用抵抗１３を介して、接続手段６により擬似負荷５および電流検出手段７が接続される。電流調整用抵抗１３は、擬似負荷５と同様に、ＬＥＤ点灯装置１２の種類などに応じた設けられた電流調整用抵抗１３ａ〜１３ｃからなっている。接続手段６は、ＬＥＤ点灯装置１２に対応した電流調整用抵抗１３ａ〜１３ｃおよび擬似負荷５ａ〜５ｄを接続する。電流調整用抵抗１３ａ〜１３ｃは、電流検出手段７に流れる電流すなわち擬似負荷５ａ〜５ｄに流れる電流がほぼ一定値となるようにそれぞれの抵抗値が設定されている。
【００１９】
接続手段６は、上述したように、擬似負荷５を自己診断用電源３の出力間または入力端４の入力端子４ａ，４ｂ間のいずれかに接続させるとともに、擬似負荷５ａ〜５ｄおよび電流調整用抵抗１３ａ〜１３ｃを選択して接続するように形成されている。
【００２０】
電流検出手段７は、擬似負荷５ａ〜５ｄに流れる電流を検出するように形成されている。
【００２１】
評価手段８は、電流検出手段７が検出した電流を入力し、当該検出電流と予め設定された基準値とを比較して評価するように形成されている。すなわち、自己診断において、検出電流が基準値の範囲内にあると、ＬＥＤ点灯装置用チェッカー１がＬＥＤ点灯装置１２を正常に検査できると判定し、逆に、検出電流が基準値の範囲外にあると、ＬＥＤ点灯装置用チェッカー１が異常であると判定するものである。また、ＬＥＤ点灯装置１２の検査において、検出電流が基準値の範囲内にあると、ＬＥＤ点灯装置１２が正常であると判定し、逆に、検出電流が基準値の範囲外にあると、ＬＥＤ点灯装置１２が不良であると判定するものである。
【００２２】
表示手段９は、評価手段８により得られた評価結果を表示するように形成されている。そして、制御手段１０は、接続手段６、電流検出手段７、評価手段８および表示手段９が順次動作するように、それらを制御するように形成されている。評価手段８および制御手段１０は、マイコン１４に形成されている。評価手段８の比較、判定の処理は、マイコン１４のＣＰＵ（中央処理装置）において実行される。また、制御手段１０による接続手段６、電流検出手段７、評価手段８および表示手段９の一連の動作は、マイコン１４のＲＯＭ（リードオンリーメモリー）に記憶されたプログラムに基づいて実行される。プログラムには、検出電流と比較される基準値が書き込まれている。
【００２３】
ＬＥＤ点灯装置用チェッカー１は、図３に示すように、上面側に平面部１５ａ傾斜部１５ｂおよび平面部１５ｃを有する略箱状に形成された本体部１５を備えている。この本体部１５は、平坦状の底面部１５ｄに設けられた複数個のゴム脚１６により床面に設置されている。そして、本体部１５の側面１５ｅに可変電流源２の出力端１１およびＬＥＤ点灯装置１２の出力を入力する入力端４が並設されている。
【００２４】
本体部１５の平面部１５ａおよび傾斜部１５ｂは、操作部位および表示部位となっている。図２に示すように、平面部１５ａには、可変電流源２の出力電流を調整するためのスライダック（登録商標）１７の操作摘み１７ａが設けられ、傾斜部１５ｂには、表示ランプ付の電源スイッチ１８が設けられている。また、傾斜部１５ｂには、可変電流源２の出力電流を表示する電流計１９が設けられ、その横には、選択される調光タップの表示部２０ａ〜２０ｃが設けられ、さらにその横には、ＬＥＤ点灯装置１２の正常（ＯＫ）を表示する表示部２１ａおよび不良（ＮＧ）を表示する表示部２１ｂが設けられている。
【００２５】
上記調光タップは、ＬＥＤ負荷の複数の光度比率を示している。複数の光度比率は、１００％，２５％，５％であり、このときの可変電流源２の出力電流は、それぞれ６．６Ａ（タップ５），５．２Ａ（タップ４），４．１Ａ（タップ３）である。当該出力電流は、スライダック１７により可変され、当該出力電流となったときに表示部２０ａ〜２０ｃが点灯する。
【００２６】
そして、平面部１５ａのスライダック１７の操作摘み１７ａの横には、ＬＥＤ点灯装置用チェッカー１自体の検査結果を表示する表示部２２ａ，２２ｂが設けられている。表示部２２ａは、ＬＥＤ点灯装置用チェッカー１が正常（ＯＫ）あると判定されたときに点灯され、表示部２２ｂは、ＬＥＤ点灯装置用チェッカー１が不良（ＮＧ）であるときに点灯される。
【００２７】
そして、表示部２２ａ，２２ｂの横には、ＬＥＤ点灯装置１２の選択スイッチ２３ａ〜２３ｃが設けられているとともに、マイコン１４をリセットするリセットスイッチ２４が設けられている。選択スイッチ２３ａ〜２３ｃは、例えば白色光を放射する表示ランプ付きであり、可変電流源２の出力端１１およびＬＥＤ点灯装置１２の出力を入力する入力端４に接続されるＬＥＤ点灯装置１２の種類に応じて選択される。また、選択スイッチ２３ａ〜２３ｃは、いずれか１個が選択されるものである。リセットスイッチ２４は、例えば白色光を放射する表示ランプ付きである。
【００２８】
ＬＥＤ式航空標識灯は、ＬＥＤ負荷の数量や光色などに応じて異なる種類のＬＥＤ点灯装置１２を収納している。そして、本実施形態では、ＬＥＤ点灯装置１２として、東芝ライテック（株）製の型名ＬＢ１−９Ｄ、ＬＵ１−９ＤおよびＬ１−８Ｄの３種類を用いている。
【００２９】
型名ＬＢ１−９Ｄおよび型名ＬＵ１−９ＤのそれぞれのＬＥＤ点灯装置１２は、可変電流源２から出力された６．６Ａ，５．２Ａ，４．１Ａの交流電流が入力されると、それぞれＬＥＤ負荷を１００％，２５％，５％で調光点灯させる。型名ＬＢ１−９ＤのＬＥＤ点灯装置１２は、１窓用であり、緑色光、赤色光または黄色光を放射するＬＥＤ負荷を点灯させ、型名ＬＵ１−９ＤのＬＥＤ点灯装置１２は、２窓用であり、緑色光、赤色光または黄色光を放射するＬＥＤ負荷を点灯させる。
【００３０】
また、型名Ｌ１−８ＤのＬＥＤ点灯装置１２は、定格時に６．６Ａの交流電流が入力され、０．６６Ａの電流を出力して緑色光または黄色光を放射するＬＥＤ負荷を１００％点灯させるものであり、運用時には、４．８Ａの交流電流が入力されて、ＬＥＤ負荷に４２ｍＡの定電流を流してＬＥＤ負荷を１０％点灯させるものである。この型名Ｌ１−８ＤのＬＥＤ点灯装置１２において、６．６Ａの交流電流が入力されると、表示部２０ａが点灯し、４．８Ａの交流電流が入力されると、表示部２０ｃが点灯するものである。
【００３１】
表示部２０ａ〜２０ｃ、表示部２１ａ，２１ｂおよび表示部２２ａ，２２ｂは、表示手段を形成し、いずれもＬＥＤ等の光学的手段を用いて表示されるようになっている。そして、表示部２０ａおよび表示部２１は、例えば緑色を表示にし、表示部２０ｂおよび２１ｂは、例えば赤色を表示にしている。
【００３２】
また、平面部１５ｃには、開閉蓋２５が蝶番２６およびパチン錠２７により取り付けられている。本体部１５の平面部１５ｃの内部は、ＬＥＤ点灯装置１２と出力端１１および入力端４とを接続するケーブルの収納部となっており、当該ケーブルの取り出しまたは収納のときに開閉蓋２５が開閉される。
【００３３】
以下、ＬＥＤ点灯装置用チェッカー１の回路構成について、図４および図５を用いて詳述する。
【００３４】
図４において、電流源としての可変電流源２は、スライダック１７、降圧トランス２８および電流計１９などを備えて形成されていて、入力側に図示しないコンセントに差し込まれるプラグ２９、出力側に出力端１１の出力端子１１ａ，１１ｂを有している。スライダック１７は、その入力側が電源スイッチ１８を介してプラグ２９に接続され、その出力側が降圧トランス２８の入力側に接続されている。そして、降圧トランス２８の出力側が出力端子１１ａ，１１ｂに接続されている。
【００３５】
降圧トランス２８の一方の出力側および出力端子１１ａの間には、カレントトランス３０が接続されている。また、降圧トランス２８の他方の出力側および出力端子１１ｂの間には、カレントトランス３１と、限流用の抵抗Ｒ１，Ｒ２の並列回路とが直列的に接続されている。カレントトランス３０の二次側には、電流計１９が接続され、カレントトランス３１の二次側には、入力検出回路３２が接続されている。
【００３６】
そして、出力端子１１ａ，１１ｂには、外部のＬＥＤ点灯装置１２が接続される。ＬＥＤ点灯装置１２は、図示しないＬＥＤ負荷を点灯する既知の構成により形成されている。また、ＬＥＤ点灯装置１２は、出力端子１１ａ，１１ｂから供給される電流値に応じてＬＥＤ負荷の光度比率を変化させるように形成されている。
【００３７】
プラグ２９が差し込まれるコンセントには、商用交流電源（ＡＣ１００Ｖ）Ｖｓが供給されており、コンセントにプラグ２９が差し込まれて電源スイッチ１８がオンされることにより、スライダック１７に商用交流電源Ｖｓが印加されて商用交流電源Ｖｓからの交流電流が供給される。このとき、電流計１９は、商用交流電源Ｖｓから動作電源が供給されて動作する。
【００３８】
スライダック１７は、出力端子１１ａ，１１ｂからＬＥＤ負荷の複数の光度比率に応じた交流電流が出力されるように可変される。複数の光度比率１００％，２５％，５％に対して、出力端子１１ａ，１１ｂから６．６Ａ，５．２Ａ，４．１Ａの交流電流が出力される。スライダック１７は、電流計１９に表示される電流値が前記交流電流となるように可変される。
【００３９】
そして、出力端子１１ａ，１１ｂから交流電流が出力されると、当該交流電流に応じた検出信号が入力検出回路３２からマイコン１４に入力する。こうして、可変電流源２は、外部のＬＥＤ点灯装置１２が接続される出力端１１を有し、この出力端１１からＬＥＤ負荷の複数の光度比率に応じた交流電流が出力可能に形成されている。
【００４０】
自己診断用電源３は、ＡＣ−ＤＣアダプター３３およびＤＣ−ＤＣコンバーター３４を有して構成されている。ＡＣ−ＤＣアダプター３３は、その入力側が電源スイッチ１８を介してプラグ２９に接続され、商用交流電源（ＡＣ１００Ｖ）Ｖｓを直流電源（ＤＣ２５Ｖ）に変換するように形成されている。ＤＣ−ＤＣコンバーター３４は、ＡＣ−ＤＣアダプター３３から出力された直流電源を入力し、直流電流を出力し、出力電圧が例えば１２Ｖとなっている。
【００４１】
そして、ＡＣ−ＤＣアダプター３３の出力間には、電源スイッチ１８の表示ランプ３５が接続されている。表示ランプ３５は、電源スイッチ１８のオンオフ状態を表示する。こうして、自己診断用電源３は、可変電流源２の入力電流を直流電流に変換して出力するように形成されている。
【００４２】
そして、自己診断用電源３の出力間、すなわちＤＣ−ＤＣコンバーター３４の出力間には、擬似負荷５ａ〜５ｄ、電流調整用抵抗１３ａ〜１３ｃ、電流検出抵抗３６、電流検出回路３７，３８およびフォトカプラ３９の一次回路３９ａが接続手段６を形成しているリレー４０ａ，４０ｂ、リレー４１〜４５により接続される。また、ＬＥＤ点灯装置１２の出力を入力する入力端４の入力端子４ａ，４ｂ間に、電流検出用抵抗１３ａ〜１３ｃを除く上記の構成がリレー４０ａ，４０ｂ、リレー４１〜４５により接続される。
【００４３】
図５に示すように、リレー４０ａ，４０ｂ、リレー４１〜４５を切り替えるリレー回路４６〜５１およびスイッチ回路５２〜５７は、接続手段６を形成し、自己診断用電源３のＡＣ−ＤＣアダプター３３の正極側およびマイコン１４の間に接続されている。そして、マイコン１４からスイッチ回路５２〜５７にそれぞれ動作電源が供給されると、それぞれのスイッチ回路５２〜５７がそれぞれのリレー回路４６〜５１を付勢（動作）させる。これにより、それぞれのリレー４０ａ，４０ｂ、リレー４１〜４５が切り替わる。なお、スイッチ回路５２〜５７は、符号を付さないバッファを介してマイコン１４に接続されている（以下のスイッチ回路においても同様である。）。
【００４４】
マイコン１４は、５Ｖ電源５８から動作電源が供給されて動作する。この５Ｖ電源５８は、自己診断用電源３のＡＣ−ＤＣアダプター３３の出力電圧（ＤＣ２４Ｖ）から形成されている。そして、５Ｖ電源５８およびマイコン１４の間には、動作モニター５９およびスイッチ回路６０が接続されている。マイコン１４は、動作すると、スイッチ回路６０に動作電源を供給して動作モニター５９を動作させる。動作モニター６０の視認により、マイコン１４の動作が確認される。また、５Ｖ電源５８およびマイコン１４の間には、選択スイッチ２３ａ〜２３ｃが接続されている。
【００４５】
ＡＣ−ＤＣアダプター３３の負極側およびマイコン１４の間には、リセットスイッチ２４が接続されている。そして、ＡＣ−ＤＣアダプター３３の正極側およびマイコン１４の間には、それぞれスイッチ回路６１〜６４を介して表示ランプ６５および表示ランプ６６ａ〜６６ｃが接続されている。表示ランプ６５は、リセットスイッチ２４の表示ランプであり、表示ランプ６６ａ〜６６ｃは、選択スイッチ２３ａ〜２３ｃの表示ランプとなっている。
【００４６】
マイコン１４は、待機時、スイッチ回路６１にハイ信号を出力して表示ランプ６５を点灯させる。そして、リセットスイッチ２４が瞬時オンされると、スイッチ回路６１にロウ信号を出力して表示ランプ６５を消灯させ、マイコン１４のリセット終了後に再びハイ信号を出力して表示ランプ６５を点灯させる。
【００４７】
また、マイコン１４は、選択スイッチ２３ａ〜２３ｃが選択されると、それらに対応しているスイッチ回路６２〜６４にハイ信号を出力し、スイッチ回路６２〜６４に接続されている表示ランプ６６ａ〜６６ｃを点灯させる。なお、マイコン１４に動作電源が供給された当初は、選択スイッチ２３ａ〜２３ｃのいずれか１個例えば表示ランプ６６ｃを点灯させている。
【００４８】
そして、ＡＣ−ＤＣアダプター３３の正極側およびマイコン１４の間には、調光タップの表示部２０ａ〜２０ｃがそれぞれに接続されたスイッチ回路６７〜６９を介して、ＬＥＤ点灯装置１２の評価結果の表示部２１ａ，２１ｂがそれぞれに接続されたスイッチ回路７０，７１を介して、自己診断の評価結果の表示部２２ａ，２２ｂがそれぞれに接続されたスイッチ回路７２，７３、反転回路７４、論理積（ＡＮＤ）回路７５、論理積（ＡＮＤ）回路７６、上限レベル判定回路７７、下限レベル判定回路７８および平均値変換回路７９を介して、それぞれ接続されている。
【００４９】
マイコン１４は、入力検出回路３２から入力される電流値に応じて表示部２０ａ〜２０ｃを点灯させるように制御する。すなわち、可変電流源２の出力電流が定格の６．６Ａになると、スイッチ回路６７を動作させて表示部２０ａを点灯させる。また、可変電流源２の出力電流が５．２Ａになると、スイッチ回路６８を動作させて表示部２０ｂを点灯させ、出力電流が４．１Ａになると、スイッチ回路６９を動作させて表示部２０ｃを点灯させる。また、選択スイッチ２３ｃが選択されているときには、出力電流が４．８Ａになると、スイッチ回路６９を動作させて表示部２０ｃを点灯させる。さらに、マイコン１４は、入力検出回路３２から入力される電流値に応じて、後述するように、接続手段６を制御するものである。
【００５０】
そして、マイコン１４は、ＬＥＤ点灯装置1２の検査において、その評価結果が正常であると判定すると、スイッチ回路７０にハイ信号を出力して表示部２１ａを点灯させる。また、前記評価結果が不良であると判定すると、スイッチ回路７１にハイ信号を出力して表示部２１ｂを点灯させる。
【００５１】
そして、マイコン１４は、自己診断において、その評価結果が正常であると判定すると、ハイ信号を論理積回路７５に出力する。また、マイコン１４は、常時、動作信号例えばＤＣ５Ｖを平均値変換回路７９に出力している。平均値変換回路７９で平均化された動作信号は、それぞれ上限レベル判定回路７７および下限レベル判定回路７８に入力される。そして、上限レベル判定回路７７は、動作信号が第１の所定値例えば３Ｖ以上であると正常と判断してハイ信号を出力し、下限レベル判定回路７８は、動作信号が第２の所定値例えば１Ｖ以上であると正常と判断してハイ信号を出力する。論理積回路７６は、上限レベル判定回路７７および下限レベル判定回路７８からハイ信号が出力されると、ハイ信号を論理積回路７５に出力する。
【００５２】
論理積回路７５は、論理積回路７６からのハイ信号を入力している状態で、自己診断の評価結果のハイ信号が入力されると、ハイ信号をスイッチ回路７２に出力して表示部２２ａを点灯させる。また、論理積回路７５は、論理積回路７６からのハイ信号が入力されなく、または、自己診断の評価結果のハイ信号が入力されないと、ロウ信号を出力する。反転回路７４からのハイ信号がスイッチ回路７３に入力し、表示部２２ｂが点灯する。
【００５３】
マイコン１４は、ＣＰＵ（中央処理装置）８０、ＲＯＭ（リードオンリーメモリー）８１およびＲＡＭ（ランダムアクセスメモリー）８２を備え、ＲＯＭ８１に記憶されたプログラムに基づいてＣＰＵ８０が各種演算し、上記制御をするものである。そして、スイッチ回路５２〜５７を動作させて接続手段６により擬似負荷５および電流検出手段７を自己診断用電源３の出力間またはＬＥＤ点灯装置１２の出力を入力する入力端４に接続させる。
【００５４】
図４において、マイコン１４は、５Ｖ電源５８から動作電源が供給されて正常に動作すると、自己診断を行うものである。まず、自己診断用電源３のＤＣ−ＤＣコンバーター３４の出力間に擬似負荷５ａおよび調整用抵抗１３ａを接続させる。すなわち、マイコン１４は、各スイッチ回路５２,５３，５５，５６，５７に動作電源を供給する。これにより、各リレー回路４６，４７，４９，５０．５１が動作して、それぞれリレー４０ａ，４０ｂ，４１，４３，４４，４５が切り替わるものである
【００５５】
そして、擬似負荷５ａには、ＤＣ−ＤＣコンバーター３４から出力される直流電流が流れる。この擬似負荷５ａに流れる電流は、検出抵抗３６を介して電流検出回路３７により検出される。電流検出回路３７で検出された電流は、フォトカプラ３９の一次回路３９ａに入力され、一次回路３９ａからフォトカプラ３９の二次回路３９ｂに入力される。そして、平均値変換回路８２で変換された電流の平均値および波高値変換回路８３で変換された電流の波高値がそれぞれマイコン１４に入力される。
【００５６】
マイコン１４のＣＰＵ（中央処理装置）８０は、電流の平均値および波高値を型名ＬＢ１−９ＤのＬＥＤ点灯装置１２に対応して予め設定されたそれぞれの基準値と比較し、電流の平均値および波高値がそれぞれの所定の基準値の範囲内であるか否かを判定する。そして、電流の平均値および波高値がそれぞれの所定の基準値の範囲内であると判定すると、論理積回路７５に所定期間例えば４〜６秒に亘ってハイ信号を出力する。これにより、論理積回路７５からスイッチ回路７２にハイ信号が出力されて、自己診断の表示部２２ａが所定期間に亘って点灯し、正常（ＯＫ）が報知される。また、電流の平均値および波高値がそれぞれの所定の基準値の範囲内にないと判定すると、所定期間に亘ってハイ信号を出力しない。これにより、反転回路７４からハイ信号がスイッチ回路７３に出力されて、自己診断の表示部２２ｂが所定期間に亘って点灯し、不良（ＮＧ）が報知される。
【００５７】
なお、基準値は、プログラムに書き込まれるに限らず、例えばＲＯＭ８１に記憶させてＲＯＭ８１から読み出すようにしてもよい。
【００５８】
マイコン１４は、前記所定期間の経過後、自動的にリセットし、ＤＣ−ＤＣコンバーター３４の出力間に擬似負荷５ｂおよび調整用抵抗１３ｂを接続させる。すなわち、マイコン１４は、各スイッチ回路５２,５５，５７に動作電源を供給する。これにより、各リレー回路４６，４９，５１が動作して、それぞれリレー４０ａ，４０ｂ，４３，４５が切り替わるものである
【００５９】
そして、上述同様に、擬似負荷５ｂに流れる電流の平均値および波高値が型名ＬＵ１−９ＤのＬＥＤ点灯装置１２に対応して予め設定されたそれぞれの基準値と比較され、電流の平均値および波高値がそれぞれの所定の基準値の範囲内であるか否かを判定する。そして、電流の平均値および波高値がそれぞれの所定の基準値の範囲内であると判定されると、自己診断の表示部２２ａが所定期間に亘って点灯され、電流の平均値および波高値がそれぞれの所定の基準値の範囲内でないと判定されると、自己診断の表示部２２ｂが所定期間に亘って点灯される。
【００６０】
次に、マイコン１４は、ＤＣ−ＤＣコンバーター３４の出力間に擬似負荷５ｃおよび調整用抵抗１３ｂを接続させる。すなわち、マイコン１４は、各スイッチ回路６４，５５，５７に動作電源を供給する。これにより、各リレー回路４８，４９，５１が動作して、それぞれリレー４２，４３，４５が切り替わるものである。
【００６１】
擬似負荷５ｃに流れる電流は、電流検出回路３８により検出されてフォトカプラ３９に入力され、平均値変換回路８２で平均値に変換され、波高値変換回路８３で波高値に変換される。
【００６２】
そして、上述したように、擬似負荷５ｃに流れる電流の平均値および波高値は、マイコン１４において、型名Ｌ１−８ＤのＬＥＤ点灯装置１２の定格時に対応して予め設定されたそれぞれの基準値と比較されて、それぞれの所定の基準値の範囲内であるか否かが判定される。そして、電流の平均値および波高値がそれぞれの所定の基準値の範囲内であると判定されると、自己診断の表示部２２ａが所定期間に亘って点灯され、電流の平均値および波高値がそれぞれの所定の基準値の範囲内でないと判定されると、自己診断の表示部２２ｂが所定期間に亘って点灯される。
【００６３】
次に、マイコン１４は、ＤＣ−ＤＣコンバーター３４の出力間に擬似負荷５ｄおよび調整用抵抗１３ｃを接続させる。すなわち、マイコン１４は、スイッチ回路５５に動作電源を供給する。これにより、リレー回路５１が動作して、リレー４３が切り替わる。そして、擬似負荷５ｄに流れる電流は、電流検出回路３８により検出されてフォトカプラ３９に入力され、平均値変換回路８２で平均値に変換され、波高値変換回路８３で波高値に変換される。
【００６４】
そして、マイコン１４において、擬似負荷５ｄに流れる電流の平均値および波高値は、型名Ｌ１−８ＤのＬＥＤ点灯装置１２の運用時に対応して予め設定されたそれぞれの基準値と比較され、電流の平均値および波高値がそれぞれの所定の基準値の範囲内であるか否かを判定される。そして、電流の平均値および波高値がそれぞれの所定の基準値の範囲内であると判定されると、自己診断の表示部２２ａが所定期間に亘って点灯され、電流の平均値および波高値がそれぞれの所定の基準値の範囲内でないと判定されると、自己診断の表示部２２ｂが所定期間に亘って点灯される。
【００６５】
このように、評価手段８および制御手段１０からなるマイコン１４は、接続手段６、電流検出手段７および表示手段９を順次制御し、擬似負荷５に流れる電流を予め設定された基準値と比較して評価し、ＬＥＤ点灯装置用チェッカー１が種類の異なるＬＥＤ点灯装置１２を正常に検査できるか否かの自己診断を行うように形成されている。なお、制御手段１０は、接続手段６、電流検出手段７、評価手段８および表示手段９にそれぞれ設けられるようにしてもよい。
【００６６】
次に、本実施形態の作用について述べる。
【００６７】
電源スイッチ１８がオンされて、商用交流電源Ｖｓから可変電流源２に入力電流が入力されると、自己診断用電源３から５Ｖ電源５８に電源が供給される。そして、５Ｖ電源５８からマイコン１４に動作電源が供給されて、マイコン１４が動作する。
【００６８】
マイコン１４は、動作中、動作信号を平均値変換回路７９に出力する。動作信号が正常の範囲内であれば、論理積回路７６から論理積回路７５にマイコン１４が正常に動作していることを示すハイ信号が出力される。
【００６９】
そして、マイコン１４は、初期に動作すると、自己診断用電源３のＤＣ−ＤＣコンバーター３４の出力間に擬似負荷５ａを接続させる。そして、擬似負荷５ａに流れる電流の平均値および波高値を型名ＬＢ１−９ＤのＬＥＤ点灯装置１２に対応して予め設定されたそれぞれの基準値と比較する。そして、電流の平均値および波高値がそれぞれの基準値の範囲内であれば、正常（ＯＫ）を示す表示部２２ａを点灯させ、電流の平均値および波高値がそれぞれの基準値の範囲外であれば、不良（ＮＧ）を示す表示部２２ｂを点灯させる。表示部２２ａおよび表示部２２ｂのそれぞれの点灯は、所定期間例えば４〜６秒に亘る。表示部２２ａおよび表示部２２ｂの点灯をチェックすることにより、ＬＥＤ点灯装置用チェッカー１が型名ＬＢ１−９ＤのＬＥＤ点灯装置１２を正常に検査できるか否かを確認できる。
【００７０】
次に、マイコン１４は、ＤＣ−ＤＣコンバーター３４の出力間に擬似負荷５ｂを接続させ、擬似負荷５ｂに流れる電流の平均値および波高値を型名ＬＵ１−９ＤのＬＥＤ点灯装置１２に対応して予め設定されたそれぞれの基準値と比較する。そして、上記同様に、表示部２２ａまたは表示部２２ｂを所定期間に亘って点灯させる。これにより、ＬＥＤ点灯装置用チェッカー１が型名ＬＵ１−９ＤのＬＥＤ点灯装置１２を正常に検査できるか否かを確認できる。
【００７１】
次に、マイコン１４は、ＤＣ−ＤＣコンバーター３４の出力間に擬似負荷５ｃを接続させ、擬似負荷５ｃに流れる電流の平均値および波高値を型名Ｌ１−８０のＬＥＤ点灯装置１２の定格時に対応して予め設定されたそれぞれの基準値と比較する。そして、上記同様に、表示部２２ａまたは表示部２２ｂを所定期間に亘って点灯させる。これにより、ＬＥＤ点灯装置用チェッカー１が型名Ｌ１−８０のＬＥＤ点灯装置１２の定格時における検査を正常に行うことができるか否かを確認できる。
【００７２】
次に、マイコン１４は、ＤＣ−ＤＣコンバーター３４の出力間に擬似負荷５ｄを接続させ、擬似負荷５ｄに流れる電流の平均値および波高値を型名Ｌ１−８０のＬＥＤ点灯装置１２の運用時に対応して予め設定されたそれぞれの基準値と比較する。そして、上記同様に、表示部２２ａまたは表示部２２ｂを所定期間に亘って点灯させる。これにより、ＬＥＤ点灯装置用チェッカー１が型名Ｌ１−８０のＬＥＤ点灯装置１２の運用時における検査を正常に行うことができるか否かを確認できる。
【００７３】
こうして、ＬＥＤ点灯装置用チェッカー１は、容易に自己の正常な動作確認を行うことができて、これにより、種類の異なるＬＥＤ点灯装置１２を正常に検査可能である。
【００７４】
ＬＥＤ点灯装置１２の検査時、ＬＥＤ点灯装置１２は、ケーブルにより定電流源の出力端１１およびＬＥＤ点灯装置１２の出力を入力する入力端４に接続される。そして、型名ＬＢ１−９０のＬＥＤ点灯装置１２の場合には、選択スイッチ２３ａを瞬時オンする。マイコン１４は、スイッチ回路５２，５３に動作電源を供給してリレー回路４６，４７を動作させる。これにより、リレー４０ａ，４０ｂ，４１が切り替わって、擬似負荷５ａがＬＥＤ点灯装置１２の出力を入力する入力端４の入力端子４ａ，４ｂ間に接続される。
【００７５】
また、型名ＬＵ１−９０のＬＥＤ点灯装置１２の場合には、リセットスイッチ２４をオンした後、選択スイッチ２３ｂを瞬時オンする。マイコン１４は、スイッチ回路５２に動作電源を供給してリレー回路４７を動作させる。これにより、リレー４０ａ，４０ｂが切り替わって、擬似負荷５ｂがＬＥＤ点灯装置１２の入力端４の入力端子４ａ，４ｂ間に接続される。
【００７６】
そして、型名Ｌ１−８０のＬＥＤ点灯装置１２の場合には、リセットスイッチ２４をオンした後、選択スイッチ２３ｃを瞬時オンする。マイコン１４は、入力検出回路３２から入力される電流値に応じてリレー４２を切り替える。すなわち、スライダック１７を可変することにより、電流計１９に表示された電流値が定格時の６．６Ａ（タップ５、光度比率１００％）になると、スイッチ回路５４に動作電源を供給してリレー回路４８を動作させる。これにより、リレー４２が切り替えわって擬似負荷５ｃが入力端４の入力端子４ａ，４ｂ間に接続される。このとき、表示灯２０ａを点灯させる。また、電流計１９に表示された電流値が運用時の４．８Ａ（タップ３、光度比率１０％）になると、スイッチ回路５４に動作電源を供給しない。これにより、擬似負荷５ｄが入力端４の入力端子４ａ，４ｂ間に接続される。このとき、表示灯２０ｃを点灯させる。
【００７７】
また、型名ＬＢ１−９０および型名ＬＵ１−９０のＬＥＤ点灯装置１２を検査するときには、ＬＥＤ点灯装置１２に入力される入力電流が順次６．６Ａ（タップ５、光度比率１００％）、５．２Ａ（タップ４、光度比率２５％）、４．１Ａ（タップ３、光度比率５％）に変化される。このとき、電流計１９に流れる電流が前記入力電流となるようにスライダック１７が可変される。そして、当該電流となると、当該電流に対応した表示灯２０ａ〜２０ｃが点灯される。
【００７８】
マイコン１４は、擬似負荷５ａ〜５ｄに流れる電流の平均値および波高値と、ＬＥＤ点灯装置１２に対応して予め設定されたそれぞれの検査用基準値と比較する。そして、電流の平均値および波高値がそれぞれの検査用基準値の範囲内であれば、正常（ＯＫ）を示す表示部２１ａを点灯させ、電流の平均値および波高値がそれぞれの検査用基準値の範囲外であれば、不良（ＮＧ）を示す表示部２１ｂを点灯させる。表示部２１ａおよび表示部２１ｂの点灯をチェックすることにより、ＬＥＤ点灯装置１２が正常に動作するか否かを確認することができる。
【００７９】
なお、検査用基準値は、プログラムに書き込まれていてもよく、例えばＲＯＭ８１に記憶させていてもよい。
【００８０】
本実施形態によれば、自己診断用電源３の出力間に擬似負荷５を接続し、擬似負荷５に流れる電流とＬＥＤ点灯装置１２に対応して予め設定された基準値とを比較して評価し、その評価結果が自己診断の表示部２２ａ，２２ｂに表示されるので、ＬＥＤ点灯装置用チェッカー１が正常に動作してＬＥＤ点灯装置１２を正常に検査できることを確認することができ、ＬＥＤ点灯装置１２の検査結果に対する信頼性を向上させることができるという効果を有する。
【００８１】
また、不良（ＮＧ）の擬似負荷５があっても、正常な擬似負荷５に対応するＬＥＤ点灯装置１２を検査することができるという効果を有する。
【００８２】
また、評価手段ユおよび制御手段１０からなるマイコン１４は、可変電流源２に商用交流電源Ｖｓから入力電流が入力されたときに、接続手段６により擬似負荷５を自己診断用電源３の出力間に接続させて、電流検出手段７および表示手段９による一連の制御動作をさせるので、ＬＥＤ点灯装置用チェッカー１が正常に動作しているか否かの自己診断を容易にできるという効果を有する。
【００８３】
また、ＬＥＤ点灯装置１２の種類に対応して設けられた複数個の擬似負荷５ａ〜５ｄは、電流検出手段７の電流検出回路３７，３８が検出する電流が略一定となるように電流調整用抵抗１３ａ〜１３ｃを介して自己診断用電源３の出力間に接続されるので、擬似負荷５に流れる電流の平均値および波高値とそれぞれ比較される基準値の数量を最小限にすることができて、マイコン１４における演算処理の負担を軽減できるとともに演算処理を迅速に行うことができるという効果を有する。
【００８４】
なお、本発明は、上記実施形態の構成に限定されることなく、発明の要旨を逸脱しない範囲で種々の変形が可能である。
【符号の説明】
【００８５】
１…ＬＥＤ点灯装置用チェッカー、２…電流源としての可変電流源、３…自己診断用電源、４…入力端、５…擬似負荷、６…接続手段、７…電流検出手段、８…評価手段、９…表示手段、１１…出力端、１３…電流調整用抵抗
【図１】
2013098293.tif 000003
【図２】
2013098293.tif 000004
【図３】
2013098293.tif 000005
【図４】
2013098293.tif 000006
【図５】
2013098293.tif 000007